(57)【特許請求の範囲】
【請求項１】
無線アクセス技術に関する圏外（ＯＯＳ）条件を検出した場合に、ＯＯＳ状態に遷移し、前記ＯＯＳ状態にある間に、各々のスリープサイクルのアウェイク期間中に、システムサーチを実行するように構成され、前記アウェイク期間は第１の固定継続時間を有し、各々のスリープサイクルは第２の固定継続時間を有する、少なくとも一つのプロセッサと、
前記少なくとも一つのプロセッサに接続されたメモリとを含み、
前記少なくとも一つのプロセッサは、前記アウェイク期間の一つにおいて、少なくとも一つのエントリからなる第１のセットについて部分サーチを開始及び完了することと、少なくとも一つのエントリからなる第２のセットについて優先サーチを開始又は再開することを含むシステムサーチを実行するように更に構成され、ここで、前記アウェイク期間の前記一つにおいて、前記部分サーチは、前記優先サーチに先立って実行される、
前記少なくとも一つのプロセッサは、前記アウェイク期間の前記一つにおいて完了しなかった場合における前記優先サーチに関する状態情報を、該状態情報に基づいて前記アウェイク期間の次の一つにおいて該優先サーチを再開するために、保存するように更に構成されることを特徴とする装置。
【請求項２】
前記少なくとも一つのプロセッサは、前記アウェイク期間の少なくとも一つにおいて、前記部分サーチにより適当なシステムが見つかった場合に、前記優先サーチをスキップするように構成されたことを特徴とする請求項１に記載の装置。
【請求項３】
前記少なくとも一つのプロセッサは、前記アウェイク期間の少なくとも一つにおいて、そのアウェイク期間において前記部分サーチを１回実行するように構成されたことを特徴とする請求項１に記載の装置。
【請求項４】
前記少なくとも一つのプロセッサは、前記アウェイク期間中に、予め定められた時間間隔において、前記部分サーチを実行するように構成されたことを特徴とする請求項１に記載の装置。
【請求項５】
前記少なくとも一つのエントリからなる第１のセットは、最近捕捉され、アクイジションデータベースに記憶された少なくとも一つの周波数チャネル及びシステムを含むことを特徴とする請求項１に記載の装置。
【請求項６】
前記メモリは、最近捕捉された周波数チャネル及びシステムのアクイジションデータベースを記憶し、
前記少なくとも一つのエントリからなる第１のセットは、前記アクイジションデータベース中の予め定められた数の最も最近捕捉された周波数チャネル及びシステムを含むように構成されたことを特徴とする請求項１に記載の装置。
【請求項７】
前記少なくとも一つのエントリからなる第２のセットは、システムの優先リスト中の少なくとも一つの周波数チャネル及びシステムを含むことを特徴とする請求項１に記載の装置。
【請求項８】
前記少なくとも一つのエントリからなる第２のセットは、システムの優先リストからランダムに選択された予め定められた数の周波数チャネルを含むことを特徴とする請求項１に記載の装置。
【請求項９】
前記少なくとも一つのエントリからなる第２のセットは、前記優先サーチが開始されるごとに、異なる周波数チャネル及びシステムを含むことを特徴とする請求項１に記載の装置。
【請求項１０】
前記少なくとも一つのプロセッサは、前記優先サーチが開始されるごとに、複数の周波数帯域のうちから、少なくとも一つの周波数帯域を選択するように構成され、
前記少なくとも一つのエントリからなる第２のセットは、前記少なくとも一つの選択された周波数帯域中の周波数チャネルを含むことを特徴とする請求項１に記載の装置。
【請求項１１】
前記部分サーチは、第１の無線アクセス技術（ＲＡＴ）に関するものであり、前記優先サーチは、第２のＲＡＴに関するものであることを特徴とする請求項１に記載の装置。
【請求項１２】
前記少なくとも一つのプロセッサは、前記アウェイク期間の少なくとも一つにおいて、前記第２のＲＡＴに関する前記サーチを、それが前記第１のＲＡＴに関する前記サーチに先立って完了した場合に、無効化し、前記第２のＲＡＴに関する前記サーチが無効である場合に、前記第１のＲＡＴに関する前記サーチを、前記アウェイク期間の全体にわたって実行するように構成されたことを特徴とする請求項１１に記載の装置。
【請求項１３】
前記第１のＲＡＴは、ユニバーサル移動通信システム（ＵＭＴＳ）であり、前記第２のＲＡＴは、グローバル移動体通信システム（ＧＳＭ）（ＧＳＭは登録商標）であることを特徴とする請求項１１に記載の装置。
【請求項１４】
前記第１のＲＡＴは、ＣＤＭＡ２０００ １Ｘであり、前記第２のＲＡＴは、高速パケットデータ（ＨＲＰＤ）であることを特徴とする請求項１１に記載の装置。
【請求項１５】
前記少なくとも一つのプロセッサは、ページングチャネルが、予め定められた個数のページングスロットについて復調に失敗した場合に、ＯＯＳ条件を検出するように構成されたことを特徴とする請求項１に記載の装置。
【請求項１６】
前記少なくとも一つのプロセッサは、電源投入時でのシステムサーチの実行後に、システムが捕捉されなかった場合に、ＯＯＳ条件を検出するように構成されたことを特徴とする請求項１に記載の装置。
【請求項１７】
前記少なくとも一つのプロセッサは、サービングセルが、見失われ、そして、予め定められた継続時間の範囲内で、再補足されなかった場合に、ＯＯＳ条件を検出するように構成されたことを特徴とする請求項１に記載の装置。
【請求項１８】
前記少なくとも一つのプロセッサは、サービスを得るのに適しているシステムが捕捉された場合に、前記ＯＯＳ状態から抜け出す遷移を行うように構成されたことを特徴とする請求項１に記載の装置。
【請求項１９】
無線アクセス技術に関する圏外（ＯＯＳ）条件を検出した場合に、ＯＯＳ状態に遷移することと、
前記ＯＯＳ状態にある間に、各々のスリープサイクルのアウェイク期間中に、システムサーチを実行することを含み、
前記アウェイク期間は第１の固定継続時間を有し、各々のスリープサイクルは第２の固定継続時間を有し、
前記アウェイク期間の一つにおいて前記システムサーチを実行することは、
少なくとも一つのエントリからなる第１のセットについて部分サーチを開始及び完了することと、
少なくとも一つのエントリからなる第２のセットについて優先サーチを開始又は再開することと、
前記アウェイク期間の前記一つにおいて完了しなかった場合における前記開始又は再開された優先サーチに関する状態情報を保存することを含み、ここで、前記アウェイク期間の前記一つにおいて、前記部分サーチは、前記優先サーチに先立って実行される、
前記開始又は再開された優先サーチが前記アウェイク期間の前記一つにおいて完了しなかった場合に、前記アウェイク期間の前記一つに続く前記アウェイク期間の他の一つにおいて前記システムサーチを実行することは、前記アウェイク期間の前記一つにおいて保存された前記状態情報に基づいて前記優先サーチを再開することを含むことを特徴とする方法。
【請求項２０】
前記少なくとも一つのエントリからなる第１のセットは、アクイジションデータベース中の最近捕捉された周波数チャネル及びシステムを含み、
前記少なくとも一つのエントリからなる第２のセットは、システムの優先リスト中の少なくとも一つの周波数チャネル及びシステムを含むことを特徴とする請求項１９に記載の方法。
【請求項２１】
前記部分サーチを実行することは、第１の無線アクセス技術（ＲＡＴ）に関するサーチを実行することを含み、
前記優先サーチを実行することは、第２のＲＡＴに関するサーチを実行することを含むことを特徴とする請求項１９に記載の方法。
【請求項２２】
前記アウェイク期間の一つにおいて、前記システムサーチを実行することは、
前記第２のＲＡＴに関する前記サーチを、それが前記第１のＲＡＴに関する前記サーチに先立って完了した場合に、無効化することと、
前記第２のＲＡＴに関する前記サーチが無効である場合に、前記第１のＲＡＴに関する前記サーチを、前記アウェイク期間の全体にわたって実行することを含むことを特徴とする請求項２１に記載の方法。
【請求項２３】
無線アクセス技術に関する圏外（ＯＯＳ）条件を検出した場合に、ＯＯＳ状態に遷移するための手段と、
前記ＯＯＳ状態にある間に、各々のスリープサイクルのアウェイク期間中に、システムサーチを実行するための手段とを備え、
前記アウェイク期間は第１の固定継続時間を有し、各々のスリープサイクルは第２の固定継続時間を有し、
前記システムサーチを実行するための手段は、前記アウェイク期間の一つにおいて、少なくとも一つのエントリからなる第１のセットについて部分サーチを開始及び完了することと、少なくとも一つのエントリからなる第２のセットについて優先サーチを開始又は再開することを含むシステムサーチを実行するように更に構成され、ここで、前記アウェイク期間の前記一つにおいて、前記部分サーチは、前記優先サーチに先立って実行される、
前記システムサーチを実行するための手段は、前記アウェイク期間の前記一つにおいて完了しなかった場合における前記優先サーチに関する状態情報を、該状態情報に基づいて前記アウェイク期間の次の一つにおいて該優先サーチを再開するために、保存するように更に構成されることを特徴とする装置。
【請求項２４】
前記システムサーチを実行するための手段は、前記スリープサイクルの一つの前記アウェイク期間中に、第１の無線アクセス技術（ＲＡＴ）に関するサーチを実行することによって、前記部分サーチを実行し、第２のＲＡＴに関するサーチを実行することによって、前記優先サーチを実行することを特徴とする請求項２３に記載の装置。
【請求項２５】
無線アクセス技術に関する圏外（ＯＯＳ）条件を検出した場合に、ＯＯＳ状態に遷移するためのインストラクションと、
前記ＯＯＳ状態にある間に、各々のスリープサイクルのアウェイク期間中に、システムサーチを実行するためのインストラクションとを格納するためのプロセッサ読み取り可能な媒体であって、
前記アウェイク期間は第１の固定継続時間を有し、各々のスリープサイクルは第２の固定継続時間を有し、
前記プロセッサ読み取り可能な媒体は、
前記アウェイク期間の一つにおいて、少なくとも一つのエントリからなる第１のセットについて部分サーチを開始及び完了することと、少なくとも一つのエントリからなる第２のセットについて優先サーチを開始又は再開することを含むシステムサーチを実行するためのインストラクションと、ここで、前記アウェイク期間の前記一つにおいて、前記部分サーチは、前記優先サーチに先立って実行される、
前記アウェイク期間の前記一つにおいて完了しなかった場合における前記優先サーチに関する状態情報を、該状態情報に基づいて前記アウェイク期間の次の一つにおいて該優先サーチを再開するために、保存するためのインストラクションとを更に格納することを特徴とするプロセッサ読み取り可能な媒体。
【請求項２６】
第１の無線アクセス技術（ＲＡＴ）に関するサーチとして前記部分サーチを実行するためのインストラクションと、
第２のＲＡＴに関するサーチとして前記優先サーチを実行するためのインストラクションとを更に格納することを特徴とする請求項２５に記載のプロセッサ読み取り可能な媒体。
【発明の詳細な説明】
【技術分野】
【０００１】
（関連出願の相互参照）
本出願は、２００６年１０月２５日付け提出され、本願の譲受人に譲渡され、参照によって本明細書に組み込まれる「UMTS UNIFORM OUT-OF-SERVICE (OOS) SEARCH OF OOS IN IDLE AND CONNECTED MODE」と題された米国仮出願第６０／８６２，９４８号の優先権を主張する。
【０００２】
本開示は、一般に通信に関し、より詳しくは無線通信システムのサーチ技術に関する。
【背景技術】
【０００３】
無線通信システムは、例えばボイス、ビデオ、パケットデータ、メッセージング、ブロードキャストなどのような様々な通信サービスを提供するために、広範囲にわたって配置されている。これら無線システムは、利用可能なシステム資源をシェアリングすることにより複数のユーザをサポートできる多元接続システム（multiple-access systems）でも良い。そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、及びシングルキャリアＦＤＭＡ（ＳＣ−ＦＤＭＡ）システムを含む。
【０００４】
無線デバイス（例えば、携帯電話（cellular phone））は、１又は複数の無線システムからのサービスを受けることができる場合がある。無線デバイスは、電源投入時に、それがサービスを受けられる無線システムをサーチすることがある。システムが見つかった場合に、無線デバイスは、そのシステムに登録することがある。そして、無線デバイスは、アクティブにそのシステムと通信し、もしくは、通信が必要とされない場合に、アイドルモード（idle mode）に入ることがある。無線デバイスは、その後にそのシステムを見失った場合に、圏外（out-of-service）（ＯＯＳ）状態に入り、サービスが得られるシステムの捕捉（acquire）を試行することがある。
【０００５】
無線デバイスは、ＯＯＳ状態にある間に、その動作環境の知識を何もなにも有していない可能性があり、また、どのシステム（それがたとえあったとしても）が捕捉できるか分からない可能性がある。無線デバイスはまた、それがシステムを捕捉できるときに関する知識を有していない可能性がある。これは、例えばユーザの移動性のような様々な要因に依存する可能性があるからである。無線デバイスは、それがＯＯＳ状態にある間に連続的にシステムをサーチすると、大量のバッテリー電力を消費する可能性がある。この重大な（heavy）バッテリー電力の消費は、ＯＯＳ継続時間（duration）が長い場合は特に、待機時間（standby time）と通話時間（talk time）との両方を著しく縮小する可能性がある。無線デバイスは、バッテリー電力を節約するために、間欠的に（infrequently）システムをサーチすることがある。しかしながら、間欠的なサーチは、システム捕捉（acquisition）を著しく遅延させる可能性がある。
【０００６】
それゆえ、ＯＯＳ状態において効果的に無線システムをサーチするための技術が当該技術分野において必要である。
【発明の概要】
【０００７】
ＯＯＳ状態にある間にシステムを検出するための均一（uniform）ＯＯＳ（ＵＯＯＳ）サーチを実行するための技術が、本明細書に記載される。ＵＯＯＳサーチは、ＵＯＯＳサーチの間、スリープサイクル（sleep cycle）及び／又はアウェイク期間（awake period）が固定又されは不変であるという点において、“均一（uniform）”である。スリープサイクルは、スリープ状態（sleep state）とアウェイク状態（awake state）とからなる一つの期間（period）又はサイクルである。アウェイク期間は、アウェイク状態に属する時間の継続時間であるである。
【０００８】
一つの態様では、無線デバイスは、無線アクセス技術（ＲＡＴ）に関するＯＯＳ条件が検出された場合に、ＯＯＳ状態に遷移しても良い。無線デバイスは、ＯＯＳ状態にある間に、各々のスリープサイクルのアウェイク期間中に、システムサーチを実行しても良い。アウェイク期間は、第１の固定継続時間（fixed time duration）を有しても良いし、また、スリープサイクルは、第２の固定継続時間を有しても良い。各々のアウェイク期間において、無線デバイスは、前のアウェイク期間中にサーチが完了されなかった場合に、該前のアウェイク期間に保存された状態情報（state information）に基づいて、新しいサーチを開始し、もしくは、該前のサーチを再開するようにしても良い。無線デバイスは、現在のアウェイク期間中に現在のサーチが完了されない場合に、該現在のサーチに関する状態情報を保存するようにしても良い。無線デバイスは、サービスを得るのに適しているシステムを捕捉した場合に、ＯＯＳ状態から抜け出す遷移を行っても良い。
【０００９】
システムサーチの一つのデザインにおいて、無線デバイスは、各々のアウェイク期間において、そのアウェイク期間中に開始し完了する、少なくとも一つのエントリからなる第１のセットに関する第１のサーチを実行しても良い。該少なくとも一つのエントリからなる第１のセットは、最近捕捉され、アクイジションデータベース又はテーブルに記憶された、１又は複数の周波数チャネル及びシステムを含んでも良い。各々のアウェイク期間において、そのアウェイク期間中に開始し完了する、少なくとも一つのエントリからなる第２のセットに関する第２のサーチを実行しても良い。第２のサーチは、前のアウェイク期間中に該第２のサーチが完了されなかった場合に、該前のアウェイク期間に保存された状態情報に基づいて、現在のアウェイク期間において再開されても良い。現在のアウェイク期間中に第２のサーチが完了されない場合に、該第２のサーチに関する状態情報が、次のアウェイク期間において利用するために保存されるようにしても良い。第１のサーチによって適当なシステムが見つかった場合に、第２のサーチは、スキップされても良い。該少なくとも一つのエントリからなる第２のセットは、優先リスト（preferred list）における１又は複数の周波数チャネル及びシステム、及び／又は、他の周波数チャネル及びシステムを含んでも良い。第２のサーチは、種々のＲＡＴに関するサーチ、例えば、ユニバーサル移動通信システム（Universal Mobile Telecommunication System）（ＵＭＴＳ）及びグローバル移動体通信システム（Global System for Mobile Communications）（ＧＳＭ（登録商標））に関するサーチ、ＣＤＭＡ２０００ １Ｘ （１Ｘ）及び高速パケットデータ（High Rate Packet Data）（ＨＲＰＤ）に関するサーチ、又は他の何らかのＲＡＴの組み合わせに関するサーチを含んでも良い。
【００１０】
本開示の様々な態様及び特徴は、以下で更に詳細に記載される。
【図面の簡単な説明】
【００１１】
【図１】図１は、二つの無線通信システムでの配置を示す。
【図２Ａ】図２Ａは、固定のアウェイク期間と固定のスリープサイクルを有するＵＯＯＳサーチを示す。
【図２Ｂ】図２Ｂは、固定のアウェイク期間と可変のスリープサイクルを有するＵＯＯＳサーチを示す。
【図２Ｃ】図２Ｃは、アウェイク期間について固定のデューティーサイクル（fixed duty cycle）を有するＵＯＯＳサーチを示す。
【図３】図３は、ＵＭＴＳ及びＧＳＭのためのプロトコルレイヤ群を示す。
【図４Ａ】図４Ａは、ＵＭＴＳ及びＧＳＭをサポートするデュアルモードの無線デバイスのためのＵＯＯＳサーチのデザインを示す。
【図４Ｂ】図４Ｂは、ＵＭＴＳ及びＧＳＭをサポートするデュアルモードの無線デバイスのためのＵＯＯＳサーチのデザインを示す。
【図４Ｃ】図４Ｃは、ＵＭＴＳ及びＧＳＭをサポートするデュアルモードの無線デバイスのためのＵＯＯＳサーチのデザインを示す。
【図５】図５は、１Ｘ及びＨＲＰＤのためのＵＯＯＳサーチのデザインを示す。
【図６】図６は、ＵＯＯＳサーチを実行するための処理を示す。
【図７】図７は、ＯＯＳ状態にある間にシステムサーチを実行するための処理を示す。
【図８】図８は、無線デバイスのブロック図を示す。
【発明を実施するための形態】
【００１２】
本明細書で説明されるサーチ技術は、例えばＣＤＭＡ、ＴＤＭＡ、ＦＤＭＡ、ＯＦＤＭＡ、及びＳＣ−ＦＤＭＡシステムのような、各種の無線通信システムに利用されても良い。用語“システム（system）”及び“ネットワーク（network）”は、しばしば互換的に（interchangeably）に使用される。ＣＤＭＡシステムは、例えばｃｄｍａ２０００、ユニバーサル地上無線アクセス（Universal Terrestrial Radio Access）（ＵＴＲＡ）などのようなＲＡＴをインプリメントしても良い。用語“無線アクセス技術”、“ＲＡＴ”、 “無線技術”、及び“エアーインタフェース”は、しばしば互換的に使用される。ｃｄｍａ２０００は、ＩＳ−２０００標準、ＩＳ−９５標準及びＩＳ−８５６標準をカバーする。ＩＳ−２０００は、ＣＤＭＡ２０００ １Ｘ、１Ｘなどとも呼ばれる。ＩＳ−８５６は、ＨＲＰＤ、ＣＤＭＡ２０００ １ｘＥＶ−ＤＯ、１ｘＥＶ−ＤＯ、ＤＯ、ハイデータレート（ＨＤＲ）などとも呼ばれる。ＵＴＲＡは、ワイドバンドＣＤＭＡ（Ｗ−ＣＤＭＡ）及び時分割同期ＣＤＭＡ（ＴＤ−ＳＣＤＭＡ）を含む。ＴＤＭＡシステムは、例えばＧＳＭのようなＲＡＴをインプリメントしても良い。ＯＦＤＭＡシステムは、例えばEvolvedＵＴＲＡ（Ｅ−ＵＴＲＡ）、ＩＥＥＥ ８０２．２０、Ｆｌａｓｈ−ＯＦＤＭ（登録商標）などのようなＲＡＴをインプリメントしても良い。ＵＴＲＡ及びＥ−ＵＴＲＡは、ＵＭＴＳの一部であり、ロングタームエボリューション（Long Term Evolution）（ＬＴＥ）は、間もなくリリースされる、Ｅ−ＵＴＲＡを利用するＵＭＴＳである。ＵＴＲＡ、Ｅ−ＵＴＲＡ、ＵＭＴＳ、ＧＳＭ及びＬＴＥは、“第３世代パートナーシッププロジェクト（3rd Generation Partnership Project）”（３ＧＰＰ）という名前の団体からのドキュメントに記載されている。ｃｄｍａ２０００は、“第３世代パートナーシッププロジェクト２（3rd Generation Partnership Project 2）”（３ＧＰＰ２）という名前の団体からのドキュメントに記載されている。これら各種のＲＡＴは、当該技術分野において知られた標準である。
【００１３】
ＧＳＭ及びＩＳ−９５は、ボイスサービス及び低〜中速パケットデータサービスを提供可能な、第２世代（２Ｇ）ＲＡＴである。ＵＭＴＳ、ＩＳ−２０００、及びＩＳ−８５６は、高度サービス及び将来性、例えば、より高いデータレート、コンカレントボイス及びデータコール、などを提供可能な、第３世代の（３Ｇ）ＲＡＴである。ネットワークオレペータ／サービスプロバイダは、１又は複数のＲＡＴを利用する１又は複数のシステムを配置しても良い。
【００１４】
図１は、第１の無線システム１１０及び第２の無線システム１２０を含む配置１００を示す。システム１１０は、ＧＳＭシステムでも良く、また、システム１２０は、ＵＭＴＳシステムでも良い。また、システム１１０は、１Ｘシステムでも良く、システム１２０は、ＨＲＰＤシステムでも良い。また、システム１１０及びシステム１２０は、他のＲＡＴを利用するシステムでも良い。
【００１５】
システム１１０は、システム１１０のサービスエリア（coverage area）の範囲内で各無線デバイスと通信する諸基地局１１２を含む。基地局は、一般に、無線デバイスと通信する固定局であり、また、Node B、evolved Node B（eNode B）、アクセスポイントなどとも呼ばれる。システムコントローラ１１４は、基地局１１２に繋がり、これら基地局の調整及び制御を提供する。システム１２０は、システム１２０のサービスエリアの範囲内で各無線デバイスと通信する諸基地局１２２を含む。システムコントローラ１２４は、基地局１２２に繋がり、また、これら基地局の調整及び制御を提供する。システムコントローラ１１４及びシステムコントローラ１２４は、それぞれ、例えば、移動交換局（Mobile Switching Center）（ＭＳＣ）、無線ネットワークコントローラ（ＲＮＣ）、パケット制御機能（ＰＣＦ）などのような、１又は複数のネットワークエンティティを含んでも良い。システムコントローラ１１４は、システム１１０とシステム１２０との間の相互接続をサポートするために、システムコントローラ１２４と通信しても良い。
【００１６】
システムは、通常、多数のセルを含む。ここで、用語“セル（cell）”は、その用語が使用される文脈に応じて、基地局、又は基地局のサービスエリアを、指し示すことができる。以下の説明において、基地局１１２及び基地局１２２がセルと呼ばれることがある。
【００１７】
無線デバイス１５０は、システム１１０及び／又はシステム１２０…典型的にはいかなる瞬間でも一つのシステム…と通信可能であっても良い。無線デバイス１５０は、静止したものであっても又は移動するものであっても良く、また、ユーザ装置（user equipment）（ＵＥ）、移動局（mobile station）（ＭＳ）、端末、アクセス端末、モバイル機器（mobile equipment）、加入者ユニット（subscriber unit）、ステーションなどと呼ばることもある。無線デバイス１５０は、携帯電話、携帯情報端末（ＰＤＡ）、無線モデム、ハンドヘルドデバイス、ラップトップコンピュータなどでも良い。
【００１８】
無線デバイス１５０は、電源投入時にシステムをサーチしても良い。システムが見つかった場合に、無線デバイスは、（ｉ）サービスを得るために、接続モード（connected mode）で動作し、アクティブにそのシステムと通信するか、又は、（ｉｉ）通信が必要とされないときは、アイドルモードで動作し、そのシステムにとどまるようにしても良い。無線デバイスは、電源投入時にシステムを捕捉することに失敗することがあり（例えば、それがサービスのないエリアにいる場合）、又は、アイドルモード若しくは接続モードにいる間に、捕捉されたシステムを見失うことがある（例えば、ユーザの移動又は無線リンクの不具合が原因で）。そのとき、無線デバイスは、ＯＯＳ状態に入り、とどまるのに又はサービスを得るのに適しているシステムをサーチしても良い。
【００１９】
一般的に、無線デバイスは、様々な基準に基づいてＯＯＳ状態に入っても良い。一つのデザインにおいては、無線デバイスは、電源投入中にシステムを捕捉することに失敗した場合に、又は、アイドルモード若しくは接続モードにおいて、捕捉されたシステムを見失った場合に、直ちに、ＯＯＳ状態に入るようにしても良い。他のデザインにおいては、無線デバイスは、電源投入時にシステムの捕捉に失敗した後、若しくは、アイドルモード若しくは接続モードにおいて、システムを見失った後、若干の時間、待って、それから、ＯＯＳ状態に入るようにしても良い。例えば、無線デバイスは、アイドルモードにあって、割り当てられたページングスロットの期間に、予め定められた時間間隔（time interval）で隔てられたページングチャネルを周期的に（periodically）復調するようにしても良い。無線デバイスは、（ｉ）ページングチャネルを復調することに失敗した後に、システムを見失ったことを宣言し、直ちにＯＯＳ状態に入るか、又は、（ｉｉ）各々のページングスロットにおけるページングチャネルの復調の試みを続け、予め定められた回数だけ復調の試みに失敗した後に、システムを見失ったことを宣言して、ＯＯＳ状態に入るようにしても良い。また、無線デバイスは、ＯＯＳ状態に入るのに先立って、予め定められた期間だけ、連続的にシステムをサーチするようにしても良い。
【００２０】
一つの態様では、無線デバイスは、ＯＯＳ状態にある間に、システムを検出するために、均一ＯＯＳ（ＵＯＯＳ）サーチを実行する。ＵＯＯＳサーチに関して、無線デバイスは、その時間の多くをスリープし、システムをサーチするために、周期的にウェイクアップ（wake up）するようにしても良い。ＵＯＯＳサーチは、ＵＯＯＳサーチの期間にスリープサイクル及び／又はアウェイク期間が固定される点において、“均一（uniform）”である。スリープサイクルは、スリープ状態とアウェイク状態とからなる一つの期間（period）又はサイクル（cycle）である。無線デバイスは、スリープ状態にある間に、バッテリー電力を節約するために、できるだけ多くの回路をパワーダウンし、アウェイク状態にある間に、システムをサーチするようにしても良い。ＵＯＯＳサーチは、様々な方法で実行することができる。
【００２１】
図２Ａは、固定アウェイク期間と固定スリープサイクルを有するＵＯＯＳサーチのデザインを示す。このデザインにおいて、無線デバイスは、Ｔｃｙｃｌｅ秒ごとにウェイクアップし、無線デバイスがアウェイクされるごとに、Ｔａｗａｋｅ秒間、システムサーチを実行するようにしても良い。スリープサイクルは、固定されたもので、Ｔｃｙｃｌｅ秒に等しくても良い。同様に、アウェイク期間は、固定されたもので、Ｔａｗａｋｅ秒に等しくても良い。Ｔｃｙｃｌｅ及びＴａｗａｋｅは、例えばシステム捕捉の性能、バッテリー寿命対価（battery life consideration）などのような、様々な要因に基づいて選択されても良い。より高いバッテリー電力の消費を有する潜在的により速いシステム捕捉のためには、短いスリープサイクル及び／又は長いアウェイク期間が選択されても良い。反対に、潜在的に遅いシステム捕捉を有するより長いバッテリー寿命のためには、長いスリープサイクル及び／又は短いアウェイク期間が選択されても良い。一つのデザインにおいて、Ｔｃｙｃｌｅは、およそ４０秒であり、Ｔａｗａｋｅは、およそ６秒である。また、他のデザインにおいて、Ｔｃｙｃｌｅ及びＴａｗａｋｅに他の値が用いられても良い。Ｔｃｙｃｌｅ及び／又はＴａｗａｋｅはまた、（例えば、サービスプロバイダにより）設定可能であっても良く、所望の性能に基づいて選択されても良い。
【００２２】
図２Ｂは、固定アウェイク期間と可変スリープサイクルを有するＵＯＯＳサーチのデザインを示す。このデザインにおいて、無線デバイスは、周期的にウェイクアップし、無線デバイスがアウェイクされるごとに、Ｔａｗａｋｅ秒間、システムサーチを実行するようにしても良い。スリープサイクルは、時間とともに変化しても良い。ただし、アウェイク期間はまた、固定されたものであり、Ｔａｗａｋｅ秒に等しくても良い。例えば、スリープサイクルは、無線デバイスが最初にＯＯＳ状態に入るときは、より短くても良く、無線デバイスがある期間ＯＯＳ状態にあった後は、より長くても良い。
【００２３】
図２Ｃは、可変スリープサイクルと、固定デューティーサイクルを有するアウェイク期間とを有するＵＯＯＳサーチのデザインを示す。このデザインにおいて、無線デバイスは、周期的にウェイクアップし、無線デバイスがアウェイクされるごとに、システムサーチを実行するようにしても良い。スリープサイクルは、時間とともに変化しても良く、様々な要因に基づいて選択されても良い。アウェイク期間は、予め定められたスリープサイクル・パーセンテージ、すなわち、Ｔａｗａｋｅ，ｉ ＝ η・Ｔｃｙｃｌｅ，ｉであっても良い。ここで、Ｔｃｙｃｌｅ，ｉは、ｉ番目のスリープサイクルの継続時間であり、Ｔａｗａｋｅ，ｉは、ｉ番目のスリープサイクルに対するアウェイク期間であり、ηは、アウェイク期間に対する固定デューティーサイクルである。それゆえ、アウェイク期間は、より長いスリープサイクルについては、より長くなり、より短いスリープサイクルについては、より短くなる。ηは、所望のバッテリー寿命に基づいて選択されても良い。
【００２４】
図２Ａ及び２Ｃに示されたデザインは、無線デバイスが、システムサーチを実行するための時間の固定パーセンテージの間、アウェイクされるので、良好なバッテリー寿命を提供することができる。所望のＯＯＳバッテリー時間を達成するために、アウェイク・パーセンテージが、利用可能なバッテリー電力及びシステムサーチ中の電力消費に基づいて選択されても良い。図２Ｂに示されたデザインは、無線デバイスが、各々のスリープサイクルにおいて、固定された期間の間、アウェイクされるので、過度のバッテリー電力消費を防ぐことができる。ＵＯＯＳサーチはまた、他の方法で実行されても良い。例えば、スリープサイクルが、固定され、アウェイク期間が、予め定められた範囲内で変化されても良い。
【００２５】
無線デバイスは、ＯＯＳ状態にある間に、アウェイク期間中、各種のサーチを実行しても良い。例えば、次のサーチが実行されても良い。  
・部分サーチ（Partial search） − その無線デバイスにより最近捕捉されたシステムに対するサーチ、  
・優先サーチ（Preferred search） − その無線デバイスについて優先されるシステムに対するサーチ、及び  
・完全サーチ（Full search） − その無線デバイスにより受信可能な全てのシステムに対するサーチ。  
優先サーチは、オートマチックサーチとも呼ばれる。完全サーチは、マニュアルサーチとも呼ばれる。
【００２６】
各々のシステムは、特定の周波数帯域内で、１又は複数の特定の周波数チャネル上で動作しても良い。表１は、ＵＭＴＳ、ＧＳＭ、１Ｘ及びＨＲＰＤに一般に使用される幾つかの周波数帯域のリストを示す。
【表１】
0005442833.tif 000002
【００２７】
ＧＳＭ（又は、ＧＳＭバンド）に使用される周波数帯域は、複数の２００ＫＨｚの無線周波数（ＲＦ）チャネルをカバーする。各々のＲＦチャネルは、特定のＡＲＦＣＮ（絶対無線周波数チャネル番号（absolute radio frequency channel number））により識別される。例えば、ＧＳＭ ９００バンドは、ＡＲＦＣＮ １〜１２４をカバーし、ＧＳＭ ８５０バンドは、ＡＲＦＣＮ １２８〜２５１をカバーし、ＧＳＭ １８００バンドは、ＡＲＦＣＮ ５１２〜８８５をカバーし、また、ＧＳＭ １９００バンドは、ＡＲＦＣＮ ５１２〜８１０をカバーする。ＧＳＭシステムは、一般的には、特定のＧＳＭバンドにおける、特定のセットの各ＲＦチャネル上で、動作する。
【００２８】
ＵＭＴＳ（又は、ＵＭＴＳバンド）に使用される周波数帯域は、およそ５ＭＨｚで間隔を空ける複数のＵＭＴＳチャネルをカバーしても良い。各々のＵＭＴＳチャネルは、３．８４ＭＨｚのバンド幅と、２００ＫＨｚの分解能で与えられる中心周波数を有する。各々のＵＭＴＳチャネルは、特定のチャネル番号により識別される。それは、ＵＡＲＦＣＮ（ＵＴＲＡ  ＡＲＦＣＮ）でも良い。ＵＭＴＳシステムは、一般的には、１又は複数の特定のＵＭＴＳチャネル上で動作する。
【００２９】
１Ｘ又はＨＲＰＤ（又は、ＣＤＭＡバンド）に使用される周波数帯域は、複数のＣＤＭＡチャネルをカバーしても良い。ＣＤＭＡチャネルは、１Ｘに使用されるときは１Ｘチャネルであり、もしくは、ＨＲＰＤに使用されるときはＨＲＰＤチャネルである。各々のＣＤＭＡチャネルは、１．２３ＭＨｚのバンド幅と、チャネル番号により与えられる中心周波数とを有する。１Ｘシステムは、一般的には、１又は複数の特定の１Ｘチャネル上で動作する。ＨＲＰＤシステムは、一般的には、１又は複数の特定のＨＲＰＤチャネル上で動作する。
【００３０】
無線デバイスは、周波数チャネル及び無線デバイスにより既に補足されたシステムに対するエントリのリストを記憶する、アクイジションデータベース（acquisition database）（ＡＣＱ  ＤＢ）を維持しても良い。各々のエントリは、周波数チャネル、スクランブリングコード（scrambling code）、システム識別情報（identification information）、及び／又は関連するシステムを捕捉するための他の適切な情報を含んでも良い。アクイジションデータベースは、予め定められた個数（例えば、１０）の最も最近（most recently）補足された周波数チャネル及びシステムに対するエントリを含んでも良い。これらエントリは、アクイジションデータベース中で最も古いエントリが、新しいエントリでリプレースされるように、循環バッファ（circular buffer）に記憶されても良い。
【００３１】
無線デバイスは、優先サーチ又は完全サーチを実行するのに先立って、アクイジションデータベース中の１又は複数のエントリについて、部分サーチを実行しても良い。これは、いくつかの理由で、望ましい場合がある。第１に、無線デバイスは、アクイジションデータベース中に、周波数チャネル及びシステムを、既に捕捉しており、従って、これら周波数チャネル及びシステムを再度捕捉する見込みが十分あり得る。第２に、無線デバイスは、例えばスクランブリングコード（scrambling code）のような適切な情報を有している可能性があり、これら周波数チャネル及びシステムをより速く捕捉できる可能性がある。第３に、無線デバイスは、優先サーチ又は完全サーチのためのサーチ空間を縮小するために、例えば、システムが存在しないであろう周波数チャネル上での補足の試みを回避するために、その部分サーチの結果を利用することができる。
【００３２】
無線デバイスは、その無線デバイスがサービスを受け得る優先システムのリストを用いてセットアップされても良い。この優先リストは、ＵＭＴＳにおいて、優先パブリックランドモバイルネットワーク（preferred public land mobile network）（ＰＬＭＮ）リスト、ｃｄｍａ２０００において、優先ローミングリスト（preferred roaming list）（ＰＲＬ）、などと呼ばれることがある。優先リストは、無線デバイスにより受信され得るシステム（又は、ＰＬＭＮ）に関する多数のエントリを含んでいても良い。各々のエントリは、システム識別情報、周波数チャネル及びバンド情報、及び／又は関連するシステムを捕捉するための他の適切な情報を含んでいても良い。システム識別情報は、ＵＭＴＳにおけるＰＬＭＮ ＩＤ、ｃｄｍａ２０００におけるシステム識別子（ＳＩＤ）及びネットワーク（ＮＩＤ）、などを含んでいても良い。優先リストは、その無線デバイスがサブスクリプション（subscription）を有するサービスプロバイダによって、その無線デバイス上にセットアップされても良い。優先リストは、サービスプロバイダがローミングの承諾（roaming agreements）を有するホームシステム及び他のシステムを含んでいても良い。優先リストは、加入者識別モジュール（Subscriber Identity Module）（ＳＩＭ）、ユニバーサルＳＩＭ（ＵＳＩＭ）、又は何らかの他の不揮発性メモリモジュールに記憶されていても良い。
【００３３】
無線デバイスは、例えばＵＯＯＳサーチアルゴリズムによって、指示されるたびに、優先リスト中の周波数チャネル及びシステムに対する優先サーチを実行するようにしても良い。優先サーチに関して、無線デバイスは、優先システムを探すために、優先リスト中の周波数チャネルの全部又は一部をサーチするようにしても良い。また、無線デバイスは、例えばＵＯＯＳサーチアルゴリズムによって又はユーザによって、指示されるたびに、全ての利用可能なシステムに対する完全サーチを実行しても良い。完全サーチに関して、無線デバイスは、任意のシステムを探すために、無線デバイスによりサポートされた１又は複数の周波数帯域中の１又は複数の周波数チャネルをサーチするようにしても良い。
【００３４】
一般的に、無線デバイスは、ＯＯＳ状態にある間に、与えられたサーチでシステムを探すために、１又は複数の周波数帯域中の１又は複数の周波数チャネルを評価するようにしても良い。サーチのために実行されるべき処理は、ＲＡＴ、例えば、ＵＭＴＳ、ＧＳＭ、１Ｘ、ＨＲＰＤ、など、に依存しても良い。サーチを完了するための時間は、例えばサーチする周波数チャネルの個数、無線リンク条件、サーチされているＲＡＴのための処理、などのような、様々な要因に依存しても良い。サーチは、サーチ時間及びアウェイク期間に応じて、１又は複数のスリープサイクルにわたっても良い。サーチが、与えられたアウェイク期間の終点より前に完了しない場合、そのサーチに関する状態情報が保存されて、そのサーチが、次のアウェイク期間で再開されても良い。明りょうにするために、ＵＯＯＳサーチは、ＵＭＴＳ／ＧＳＭに関して、また、１Ｘ／ＨＲＰＤに関して、以下で具体的に説明される。
【００３５】
１．  ＵＭＴＳ及びＧＳＭのためのＵＯＯＳサーチ
図３は、ＵＭＴＳ及びＧＳＭに関する各種のレイヤを示す。ＧＳＭは、ノンアクセス・ストラタム（Non Access Stratum）（ＮＡＳ）及びアクセス・ストラタム（Access Stratum）（ＡＳ）を含む。ＮＡＳは、無線デバイスと、ＧＳＭシステムがインタフェースで接続する基幹ネットワークとの間のトラフィック及びシグナリングをサポートする機能及びプロトコルを含む。ＡＳは、無線デバイスと、ＧＳＭシステムの内部のＭＳＣとの間の通信をサポートする機能及びプロトコルを含む。ＧＳＭに関して、ＡＳは、無線資源（ＲＲ）管理サブレイヤ、無線リンク制御（ＲＬＣ）サブレイヤ、メディアアクセス制御（ＭＡＣ）サブレイヤ、及び物理レイヤを含む。ＲＲは、レイヤ３に属する。ＲＬＣ及びＭＡＣは、レイヤ２のサブレイヤである。また、物理レイヤは、レイヤ１と呼ばれる。同様に、ＵＭＴＳは、ＮＡＳ及びＡＳを含む。ＵＭＴＳに関して、ＡＳは、レイヤ３の無線資源制御（Radio Resource Control）（ＲＲＣ）、レイヤ２のＲＬＣサブレイヤ及びＭＡＣサブレイヤ並びにレイヤ１の物理レイヤを含む。
【００３６】
ＮＡＳ及びＲＲＣは、ＵＭＴＳにおいて、システムサーチのための、並びに、呼の確立（establishing）、維持（maintaining）及び終了（terminating）のための、様々な機能を実行しても良い。ＮＡＳ及びＲＲは、ＧＳＭにおいて、システムサーチ及び呼のための同様の機能を実行しても良い。簡単にするために、システムサーチに関連する機能のみが以下に説明される。用語“サーチ（search）”及び“スキャン（scan）”は、しばしば互換的に使用される。ＲＲＣ機能は、無線デバイス内部のＲＲＣモジュールにより実行されても良く、また、ＲＲ機能は、ＲＲモジュールにより実行されても良い。
【００３７】
システム決定（ＳＤ）モジュールは、ＯＯＳ状態にある間に、ＮＡＳと情報をやり取りし、システムサーチを指示するようにしても良い。ＳＤは、ＲＲＣ又はＲＲから、圏外表示（indication of no service）を受信しても良い。ＳＤは、無線デバイスが、（ｉ）圏外エリア（an area with no service）で電源投入されたとき、又は、（ｉｉ）アイドルモード若しくは接続モードにある間に、サービスを見失い、３ＧＰＰで規定された時間（例えば、イドルモードにおいて１２秒）以内でのサービングセルの再捕捉に失敗したときに、ＯＯＳ状態に入っても良い。ＳＤは、ＯＯＳ状態にある間に、ＵＯＯＳサーチを開始し、サーチのためにＮＡＳと情報をやり取りしても良い。ＳＤは、適当なシステムが見つかった、呼が開始された、ユーザによりキーが押されたなどの場合に、ＵＯＯＳサーチを終了し、ＯＯＳ状態から抜け出ても良い。
【００３８】
図４Ａ〜４Ｃは、デュアルモード無線デバイスにおけるＵＭＴＳシステム及びＧＳＭシステムのためのアイドルモードＵＯＯＳサーチを実行するための処理４００のデザインを示す。このデザインにおいて、ＲＲＣは、ＵＭＴＳシステムのためのサーチであるＵＭＴＳサーチを指示し、ＲＲは、ＧＳＭシステムのためのサーチであるＧＳＭサーチを指示する。ＮＡＳは、ＲＲＣ及びＲＲのオペレーションを指示する。ＳＤは、ＵＯＯＳサーチを管理し、スリープするタイミング及びウェイクアップするタイミングを決定し、どの周波数バンド（band(s)）をサーチすべきかを決定し、各々のアウェイク期間におけるＵＭＴＳサーチのための時間（それはＴＵＭＴＳとして示される。）及びＧＳＭサーチのための時間（それはＴＧＳＭとして示される。）を決定する。
【００３９】
図４Ａは、ＵＭＴＳ及びＧＳＭのためのＵＯＯＳサーチの開始を示す。最初に、無線デバイスは、電源投入時にシステムを見つけるのに失敗するか、又は、サービングセルを見失い、１２秒間でのこのセルの再補足に失敗する（ステップ１）。次いで、無線デバイスは、ＯＯＳを宣言しても良い（ステップ２）。圏外表示は、ＲＲＣ（ＵＭＴＳが現在のＲＡＴの場合）又はＲＲ（ＧＳＭが現在のＲＡＴの場合）により、ＮＡＳへ送信されても良い（ステップ３）。ＮＡＳは、圏外表示（no service indication）を、ＳＤへフォワードしても良い（ステップ４）。ＳＤは、サービスをサーチするための１又は複数の周波数帯域からなるグループを、決定しても良い（ステップ５）。ＯＯＳを宣言した後の最初のサーチについて、バンドグループは、無線デバイスが主として動作する周波数帯域を含んでも良い。例えば、バンドグループは、無線デバイスが主として米国で動作する場合には、ＰＣＳバンド及びセルラーバンドを含み、無線デバイスが主として欧州で動作する場合には、ＧＳＭ ９００バンド及びＩＭＴ−２０００バンドを含み、無線デバイスが主として日本で動作する場合には、Ｗ−ＣＤＭＡ ８００バンド及びＩＭＴ−２０００バンドを含む、などである。その後に続くサーチについて、バンドグループは、無線デバイスによりサポートされ且つ最近サーチされていない他の周波数帯域を含んでも良い。バンドグループはまた、サービスプロバイダにより使用されることが知られている周波数チャネルだけを含んでも良い。これは、サーチ時間を削減する可能性がある。また、ＳＤは、ＵＭＴＳサーチ時間ＴＵＭＴＳ、及びＧＳＭサーチ時間ＴＧＳＭを、決定しても良く、それらは、ＴＵＭＴＳ＋ＴＧＳＭが次のアウェイク期間を越えないように選択されても良い（同様に、ステップ５）。アウェイク期間は、例えば各々のＲＡＴに対する二つの周波数帯域の完全サーチ又は部分サーチを可能にするために、十分長くなるように、選択されても良い。ＵＭＴＳに関して、ＴＵＭＴＳは、アクイジションデータベース中のエントリに加えて予め定められた個数の（例えば、１０個の）周波数チャネルのサーチを可能にするように（to allow for）、選択されても良い（may be selected）。一つのデザインにおいて、ＴＵＭＴＳ≧４秒，ＴＧＳＭ≧２秒、
及びＴａｗａｋｅ≧６秒である。
【００４０】
第１のアウェイク期間のために、ＳＤは、ＴＵＭＴＳ及びＴＧＳＭだけでなく、そのバンドグループに対するサーチリクエストも、ＮＡＳへ送信しても良い（ステップ６）。ＮＡＳは、ＧＳＭサーチに先立ってＵＭＴＳサーチを実行することを選択し、そして、サーチリクエスト及びＴＵＭＴＳを、ＲＲＣへ送信しても良い（ステップ７）。サーチリクエストを受信した場合、ＲＲＣは、ＵＭＴＳサーチタイマーをＴＵＭＴＳにセットしても良い（ステップ８）。次いで、ＲＲＣは、アクイジションデータベース中のエントリの全部又は一部に対する部分サーチになり得るＡＣＱ ＤＢサーチを、発行しても良い（ステップ９）。ＡＣＱ ＤＢサーチによりシステムが見つかった場合、ＲＲＣは、見つかったサービスの表示を返しても良い（図４Ａには示されていない）。ＡＣＱ ＤＢサーチによりシステムが見つからなかった場合、ＲＲＣは、ＳＤから受信したバンドグループに対するＵＭＴＳサーチを発行しても良い（ステップ１０）。ＵＭＴＳサーチタイマーが切れる時間までに、ＵＭＴＳサーチが完了しない場合、ＲＲＣは、タイマーが切れたときのＵＭＴＳサーチ状態情報を保存しても良い（ステップ１１）。この状態情報は、サーチされたＵＭＴＳチャネルに関する結果及び次のアウェイク期間においてＵＭＴＳサーチを再開する上での情報を含んでも良い。一つのデザインにおいて、ＲＲＣは、ＵＭＴＳサーチの完了した部分により何らかのシステムが見つかったか否かにかかわらずに、圏外表示及びＵＭＴＳサーチタイマーの満了時にＵＭＴＳサーチが未了であることの表示を送信しても良い（ステップ１２）。他のデザインにおいては、ＲＲＣは、これまでにＵＭＴＳサーチの完了した部分により見つかったシステムを伝えても良い（図４Ａには示されていない）。ＵＭＴＳサーチタイマーの満了より前にＵＭＴＳサーチが完了した場合、ＲＲＣは、そのサーチ結果を直ちに伝えても良い。代わりに、ＲＲＣは、ＵＭＴＳサーチタイマーが切れるまで、再度、ＡＣＱ ＤＢサーチを実行し、その後に続く新たなＵＭＴＳサーチを実行するようにしても良い。ＲＲＣがＵＭＴＳにおける有効信号（valid signal）を検出した場合、ＲＲＣは、ＵＯＯＳオペレーションから抜け出し、連続的に（すなわち、非ＵＯＯＳ（non-UOOS）で）、残りの周波数チャネル上でそのサーチを完了し、そして、そのサーチ結果（例えば、利用可能なシステム）をＮＡＳに通知するようにしても良い。これは、一旦、無線デバイスが、少なくとも一つのシステムを捕捉可能であることを知れば、システム捕捉のスピードアップのためになされても良い。
【００４１】
ＲＲＣから上記表示を受信した場合、ＮＡＳは、ＲＡＴを、ＵＭＴＳからＧＳＭへ切り替えても良い（ステップ１３）。そして、ＮＡＳは、サーチリクエスト及びＴＧＳＭをＲＲへ送信しても良い（ステップ１４）。サーチリクエストを受信した場合、ＲＲは、ＧＳＭサーチタイマーをＴＧＳＭにセットしても良い（ステップ１５）。次いで、ＲＲは、ＳＤから受信したバンドグループに対するＧＳＭサーチを発行しても良い（ステップ１６）。ＧＳＭサーチタイマーが切れる時間までに、ＧＳＭサーチが完了しない場合、ＲＲは、タイマーが切れたときのＧＳＭサーチ状態情報を保存しても良い（ステップ１７）。一つのデザインにおいて、ＲＲは、ＧＳＭサーチの完了した部分により何らかのシステムが見つかったか否かにかかわらずに、圏外表示及びＧＳＭサーチタイマーの満了時にＧＳＭサーチが未了であることの表示を送信しても良い（ステップ１８）。他のデザインにおいては、ＲＲは、これまでにＧＳＭサーチの完了した部分により見つかったシステムを伝えても良い（図４Ａには示されていない）。有効ＧＳＭ信号（valid ＧＳＭ signal）が検出された場合、無線デバイスは、ＵＯＯＳオペレーションから抜け出し、連続的に、残りの周波数チャネル上でのそのサーチ及び／又はＲＡＴを完了し、そして、そのサーチ結果をＮＡＳに伝えるようにしても良い。
【００４２】
ＲＲから上記表示を受信した場合、ＮＡＳは、圏外表示及びサーチ未了表示（search not done indication）をＳＤに送信しても良い（ステップ１９）。ＳＤは、スリープに入るためのコマンドを送信しても良く（ステップ２０）、また、ＡＳは、ＳＤからそのコマンドを受信した場合、スリープ状態に入っても良い（ステップ２１）。同時に、ＳＤは、スリープタイマーを、  スリープサイクル−アウェイク期間  にセットし、スリープタイマーを開始しても良い（ステップ２２）。ＳＤは、次のアウェイク期間の開始を指示するスリープタイマーが切れるまで待っても良い（ステップ２３）。次いで、ＳＤは、スリープから抜け出すためのコマンドを送信し（ステップ２４）、ＡＳは、ＳＤからそのコマンドを受信した場合、スリープ状態から抜け出すようにしても良い（ステップ２５）。
【００４３】
ステップ６〜２５は、各々の続いて起こるアウェイク期間について実行されても良い。また一方、ステップ１０において、ＲＲＣは、保存されたＵＭＴＳサーチ状態情報に基づいて、ＵＭＴＳサーチを、前のアウェイク期間においてそれが中止されたところから再開しても良い。同様に、ステップ１６において、ＲＲは、保存されたＧＳＭサーチ状態情報に基づいて、ＧＳＭサーチを、前のアウェイク期間においてそれが中止されたところから再開しても良い。
【００４４】
図４Ｂは、ＵＭＴＳサーチの前にＧＳＭサーチが完了するケースを示す。図４Ｂ中のステップ２６〜４５は、一つのアウェイク期間に関するものであり、また、それぞれ、図４Ａ中のステップ６〜２５に対応する。ＲＲは、ＧＳＭサーチを、前のアウェイク期間においてそれが中止されたところから再開しても良く（ステップ３６）、また、ＧＳＭサーチタイマーの満了より前にＧＳＭサーチを完了しても良い（ステップ３７）。次いで、ＲＲは、ＮＡＳへ、（ｉ）システムが見つからなかった場合の圏外表示、及び、（ｉｉ）ＧＳＭサーチが完了したことの表示を送信しても良い（ステップ３８）。ＧＳＭサーチは完了したが、ＵＭＴＳサーチは完了していないので、ＮＡＳは、圏外表示及びサーチ未了表示をＳＤに送信しても良い（ステップ３９）。
【００４５】
図４Ｃは、ＧＳＭサーチが完了した後にＵＭＴＳサーチが実行され完了するケースを示す。図４Ｃのステップ４６〜５９は、一つのアウェイク期間に関するものである。ＳＤは、ＴＵＭＴＳ及びＴＧＳＭだけでなく、そのバンドグループに対するサーチリクエストも、ＮＡＳへ送信しても良い（ステップ４６）。ＧＳＭサーチは完了しているので、ＮＡＳは、ＵＭＴＳサーチについて、ＴＵＭＴＳとＴＧＳＭとの両方を使用しても良い。次いで、ＮＡＳは、サーチリクエストと、ＴＵＭＴＳ＋ＴＧＳＭとを、ＲＲＣへ送信しても良い（ステップ４７）。ＲＲＣは、ＵＭＴＳサーチタイマーを、ＴＵＭＴＳ＋ＴＧＳＭにセットし（ステップ４８）、次いで、ＡＣＱ ＤＢサーチを発行し（ステップ４９）、そして、ＵＭＴＳサーチを再開しても良い（ステップ５０）。ＲＲＣは、タイマーが切れたときのＵＭＴＳサーチ状態情報を保存し（ステップ５１）、そして、圏外表示及びＵＭＴＳサーチ未了表示をＮＡＳへ送信しても良い（ステップ５２）。ステップ５３〜５９は、それぞれ、図４Ａ中の、ステップ１９〜２５に対応する。ＲＲＣがＵＭＴＳサーチを完了するまで、ステップ４６〜５９が、各々の続いて起こるアウェイク期間について実行されても良い。
【００４６】
図４Ｃ中のステップ６０〜７３は、ＵＭＴＳサーチが完了する一つのアウェイク期間に関するものであり、また、それぞれ、ステップ４６〜５９に対応する。ＲＲＣは、ＵＭＴＳサーチを、前のアウェイク期間においてそれが中止されたところから再開しても良く（ステップ６４）、また、ＵＭＴＳサーチタイマーの満了より前にＵＭＴＳサーチを完了しても良い（ステップ６５）。次いで、ＲＲＣは、ＮＡＳへ、（ｉ）システムが見つからなかった場合の圏外表示、及び、（ｉｉ）ＵＭＴＳサーチが完了したことの表示を送信しても良い（ステップ６６）。ＧＳＭサーチ及びＵＭＴＳサーチは完了したが、システムが見つからなかったので、ＮＡＳは、圏外表示及びサーチ完了表示（search done indication）をＳＤに送信しても良い（ステップ６７）。ステップ６８〜７３は、それぞれ、図４Ａ中のステップ２０〜２５に対応する。
【００４７】
ＵＭＴＳサーチに関して、無線デバイスは、周波数帯域において強力な（strong）ＵＡＲＦＣＮを検出するために、１又は複数の周波数スキャン（frequency scans）を実行しても良い。そして、無線デバイスは、各々の強力なＵＡＲＦＣＮ上での捕捉を、例えば、３ステップの処理を用いて試行しても良い。ステップ１において、無線デバイスは、無線デバイスにおける受信信号と、種々のタイムオフセットでローカルに生成されたＰＳＣとの相関をとることによって、１次同期チャネル（primary synchronization channel）（ＳＣＨ）上を送信される２５６チップの１次同期コード（primary synchronization code）（ＰＳＣ）をサーチしても良い。無線デバイスは、セルの存在を検出し、そのセルのスロットタイミングを確定するために、該ＰＳＣを使用しても良い。ステップ２において、無線デバイスは、ＰＳＣが検出された各々のセルにより使用されている２次同期コード（secondary synchronization codes）（ＳＳＣ）のパターンを判定しても良い。無線デバイスは、セルで用いられているフレームタイミング及びスクランブリングコードグループを、そのセルについて検出されたＳＳＣパターンに基づいて、判定することが可能である。ステップ３において、無線デバイスは、ＳＳＣパターンが検出された各々のセルにより使用されているスクランブリングコードを判定しても良い。各々のＳＳＣパターンは、８個のスクランブリングコードからなるグループと関連付けられる。無線デバイスは、どのスクランブリングコードがそのセルにより使用されるかを判定するために、その８個のスクランブリングコードの各々を評価しても良い。
【００４８】
ＧＳＭサーチに関して、無線デバイスは、周波数帯域における各々のＲＦチャネルの受信電力を測定するために、パワースキャン（power scan）を実行し、強力なＲＦチャネルを識別しても良い。次いで、無線デバイスは、（ｉ）周波数補正チャネル（frequency correction channel）（ＦＣＣＨ）上を送信されるトーン（tone）を検出すること、（ｉｉ）ＧＳＭセルに対する基地局識別コード（base transceiver station identity code）（ＢＳＩＣ）を取得するために、同期チャネル（ＳＣＨ）上を送信されるバースト（burst）を復号化すること、及び（ｉｉｉ）システム情報を取得するために、ブロードキャスト制御チャネル（broadcast control channel）（ＢＣＣＨ）を復号化することによって、各々の強力なＲＦチャネル上での捕捉を試行しても良い。
【００４９】
一般的に、任意の数のＲＡＴ、例えば、ＵＭＴＳのみ、ＧＳＭのみ、ＵＭＴＳとＧＳＭの両方、などがサポート可能である。アウェイク期間は、任意の方法で、サポートされるＲＡＴの間で分けられても良い。各々のアウェイク期間において、各々のＲＡＴは、そのアウェイク期間中にサーチされている１又は複数のＲＡＴに応じて、そのＲＡＴ上のサーチのためのアウェイク期間の一部又は全部が割り当てられても良い。システムサーチのために、各々のＲＡＴに、制限された時間が割り当てられることがあるので、例えば、プアな（poor）チャネル条件においては、ＲＡＴに関するシステムサーチを完了させるためには、２以上のアウェイク期間を必要とする。
【００５０】
ＳＤは、順番に、種々のバンドグループ上で及び／又は種々のタイプの、サーチを開始しても良い。例えば、ＳＤは、ＰＣＳバンド及びセルラーバンドのためのサーチリクエスト、その後に続いて、ＩＭＴ−２０００バンド及びＧＳＭ ９００バンドのためのサーチリクエスト、などを、送信しても良い。他の例として、ＳＤは、優先サーチのためのリクエスト、その後に続いて、完全サーチのためのリクエスト、などを、送信しても良い。図４Ａ〜４Ｃには示されていないが、ＳＤは、例えば種々のバンドグループ又は種々のタイプのサーチのための新しいサーチリクエストを送信するときに、新サーチフラグ（new_search flag）を‘真（true）’にセットしても良い。新サーチフラグ（new_search flag）が‘真（true）’にセットされているときに、ＮＡＳは、サーチ完了表示をリセットし、ＲＲＣ及びＲＲは、それらのサーチ完了表示及びサーチ状態情報をリセットしても良い。
【００５１】
ＯＯＳ状態にある間に、ＵＯＯＳサーチを実行するために、タイマーが使用されても良い。場合によっては、例えば、エマージェンシーコール（emergency call）のために、与えられたサーチを可能な限り早く完了することが望ましいことがある。ユーズタイマー（use_timer）フラグは、（ｉ）各々のＲＡＴに対するサーチタイマーの使用を表示するために及び該タイマーが切れたときの状態情報を保存するために‘真（true）’にセットされ、又は、（ｉｉ）サーチタイマーのバイパスを表示するために及びサーチを完了してサーチ結果を伝えるために‘偽（false）’に設定されても良い。
【００５２】
図４Ａ〜４Ｃは、ＵＭＴＳ及びＧＳＭに関するＵＯＯＳサーチの特定のデザインを示す。一般的に、ＵＯＯＳサーチは、無線デバイス内部の任意のモジュール（module(s)）によって、開始及び管理されても良い。図４Ａ〜４Ｃに示されたデザインにおいては、例えば、Ｔｃｙｃｌｅ、Ｔａｗａｋｅ、ＴＵＭＴＳ、ＴＧＳＭ、サーチタイプ、バンドグループ、タイマーコントロールなどのような、各種のサーチパラメータが、ＳＤによりセットされ又は制御されても良い。このデザインは、ＮＡＳ、ＲＲＣ、ＲＲ、及びより下層のレイヤのオペレーションを修正する必要なしに、簡単なアクセス（例えば、サービスプロバイダによる）が、所望の性能を実現するための、これらサーチパラメータを、セットできるようにしても良い。他のデザインにおいて、ＮＡＳ、ＲＲＣ及びＲＲは、サーチパラメータをセット及び／又は制御しても良い。
【００５３】
２．  １Ｘ及びＨＲＰＤのためのＵＯＯＳサーチ
無線デバイスは、特定の１Ｘチャネル上の信号を、該信号上を送信されるパイロット（pilot）を検出することによって、サーチしても良い。パイロットを検出するために、無線デバイスは、受信信号と、種々のオフセットでの擬似乱数（ＰＮ）系列との相関をとっても良い。各々のＰＮのオフセットに関して、無線デバイスは、その時間間隔に関する複素数値（complex value）を得るために、受信したサンプルに、そのオフセットでのＰＮ系列を乗じ、そして、ＮＣ個のチップの各々の時間間隔における結果を、コヒーレントに（coherently）累算（accumulate）しても良い。無線デバイスは、パイロットエネルギー（pilot energy）を得るために、ＮＮＣ個の時間間隔に対する複素数値の二乗値（squared magnitude）を、非コヒーレントに累算しても良い。そして、無線デバイスは、１Ｘチャネル上に信号が存在するか否かを判定するために、そのパイロットエネルギーを、閾値と比較しても良い。
【００５４】
無線デバイスは、１Ｘシステムを検出するために、与えられた１Ｘチャネル上での完全捕捉（full acquisition）を試行しても良い。完全捕捉は、深い捕捉（deep acquisition）と浅い捕捉（shallow acquisition）との組み合わせを含んでも良い。深い捕捉に関して、低い信号対雑音比（ＳＮＲ）を有する信号が捕捉できるように、コヒーレントな積算区間（integration interval）（ＮＣ）及び非コヒーレントな積算区間（ＮＮＣ）が選択されても良い。浅い捕捉に関して、より大きい周波数オフセットを有する信号が捕捉できるように、ＮＣ及びＮＮＣが選択されても良い。一つのデザインにおいて、深い捕捉については、ＮＣ＝９６及びＮＮＣ＝２であり、また、浅い捕捉については、ＮＣ＝６４及びＮＮＣ＝２である。また、ＮＣ及びＮＮＣに、他の値が使用されても良い。
【００５５】
無線デバイスはまた、１Ｘチャネルのセットに対するマイクロサーチ（micro search）を実行しても良い。マイクロサーチに関して、無線デバイスは、各々の１Ｘチャネルの受信電力を測定し、最善の捕捉のために強力な１Ｘチャネルを識別しても良い。
【００５６】
一つのデザインにおいて、無線デバイスは、次のように、１Ｘ及びＨＲＰＤに対するＵＯＯＳサーチを実行しても良い。  
各々のアウェイク期間において、無線デバイスは、次のようにしても良い。  
１．１ＸサーチタイマーをＴ１Ｘにセットし、該タイマーを起動する。  
２．１Ｘサーチの時間中に、ＴＭＲＵ秒ごとに、最上位の（topmost）最も最近使用された（most recently used）（ＭＲＵ）１Ｘチャネル上で完全捕捉を実行する。  
３．上位の（top）Ｎ１個のＭＲＵ １Ｘチャネル上での完全捕捉を試行する。  
４．ＰＲＬ中のランダムに選択されたＮ２個の１Ｘチャネル上での完全捕捉を試行する。  
５．１Ｘサーチタイマーが切れるまで、ＰＲＬ中の残りの１Ｘチャネル上でのマイクロサーチを実行する。  
６．もしそのマイクロサーチが完了し且つその１Ｘサーチタイマーが満了していなければ、ステップ７に進み、そうでなければ、ステップ８に進む。  
７．その１Ｘサーチタイマーが切れるまで、残りのＸチャネル上での完全捕捉を試行する。  
８．１Ｘサーチ状態情報を保存し、１Ｘプロトコルスタックをスリープ状態に置く。    ９．ＨＲＰＤサーチタイマーをＴＨＲＰＤセットし、該タイマーを起動する。  
10．最上位のＭＲＵ ＨＲＰＤチャネル上での深い捕捉を試行する。  
11．ＨＲＰＤサーチタイマーが切れるまで、ＰＲＬ中のランダムに選択された１又は複数のＨＲＰＤチャネル上での深い捕捉を試行する。  
12．ＨＲＰＤサーチ状態情報を保存し、ＨＲＰＤプロトコルスタックをスリープ状態に置く。  
13．スリープタイマーを起動する。  
14．そのスリープタイマーが切れるまで、スリープ状態にとどまる。
【００５７】
図５は、１Ｘ及びＨＲＰＤのためのＵＯＯＳサーチに関するタイムライン（timeline）のデザインを示す。無線デバイスは、各々のスリープサイクルにおいて、Ｔａｗａｋｅ秒間、ウェイクアップし、Ｔｓｌｅｅｐ秒間、スリープしても良い。各々のＴａｗａｋｅ秒のアウェイク期間において、Ｔ１Ｘ秒が１Ｘサーチに割り当てられ、ＴＨＲＰＤ秒がＨＲＰＤサーチに割り当てられても良い。
【００５８】
１Ｘサーチについては、Ｔ１Ｘ秒の１Ｘサーチ時間の範囲内で、各々のＴＭＲＵ秒のインターバルにおいて、最上位のＭＲＵ １Ｘチャネル上で、完全捕捉が試行されても良い。最上位のＭＲＵ １Ｘチャネルは、最も最近補足された１Ｘチャネルであっても良く、したがって、この１Ｘチャネルが再補足される見込みがより大きくなることがある。完全捕捉はまた、ＰＲＬ中のＮ１個の上位のＭＲＵ １Ｘチャネルと、その後に続くランダムに選択されたＮ２個の１Ｘチャネル上で試行されても良い。ＰＲＬを通した各々の繰り返しにおいて各々の１Ｘチャネルが、一回、選択されるように、ＰＲＬ中の１Ｘチャネルが、マークされても良い。Ｎ２個のランダムに選択された１Ｘチャネル上の完全捕捉が、１Ｘサーチタイマーの満了より前に完了した場合、ＰＲＬ中の残りの１Ｘチャネル上で、マイクロスキャンが実行されても良い。次いで、完全捕捉は、１Ｘサーチタイマーが切れるまで、実行されても良い。次のアウェイク期間において、１Ｘサーチが、それが中断されたところから再開し得るように、１Ｘサーチタイマーが切れるときはいつでも、１Ｘサーチ状態情報が保存されているようにしても良い。
【００５９】
ＨＲＰＤサーチに関して、ＨＲＰＤサーチタイマーが切れるまで、深い捕捉が、最上位のＭＲＵ ＨＲＰＤチャネル上と、また、ＰＲＬ中のランダムに選択された１又は複数のＨＲＰＤチャネル上とで、試行されても良い。ＰＲＬを通した各々の繰り返しにおいて、各々のＨＲＰＤチャネルが、一回、選択され得るように、ＰＲＬ中のＨＲＰＤチャネルが、マークされても良い。
【００６０】
サーチパラメータＮ１、Ｎ２、Ｔｓｌｅｅｐ、Ｔａｗａｋｅ、Ｔ１Ｘ、ＴＨＲＰＤ及びＴＭＲＵは、所望の性能を実現するために、適切な値にセットされても良い。一つのデザインにおいて、Ｎ１＝２、Ｎ２＝６、Ｔｓｌｅｅｐ＝３６、Ｔａｗａｋｅ＝６、Ｔ１Ｘ＝５、ＴＨＲＰＤ＝１、及びＴＭＲＵ＝２である。これらパラメータはまた、他のデザインにおける他の値にセットされても良い。
【００６１】
図５は、１Ｘ及びＨＲＰＤのためのＵＯＯＳサーチの特定のデザインを示す。１Ｘ及びＨＲＰＤのためのＵＯＯＳサーチはまた、他の方法で実行されても良い。例えば、（１Ｘサーチ時間の範囲内で、各々のＴＭＲＵ秒の期間において試行される替わりに）、各々のアウェイク期間において、１回だけ、最上位のＭＲＵ １Ｘチャネル上で完全捕捉が試行されても良い。また、ＰＲＬ中にない他の１Ｘチャネル及びＨＲＰＤチャネルがサーチされても良い。
【００６２】
３．  包括的なＵＯＯＳサーチ
図６は、無線デバイスによりＵＯＯＳサーチを実行するための処理６００のデザインを示す。無線デバイスは、無線アクセス技術に関するＯＯＳ条件が検出された場合に、ＯＯＳ状態に遷移しても良い（ブロック６１０）。例えば、無線デバイスは、（ｉ）電源投入時でのシステムサーチの実行後に、システムが捕捉されなかった場合、（ｉｉ）アイドルモードにある間に、ページングチャネルが、予め定められた個数のページングスロットについて、復調に失敗した場合、（ｉｉｉ）接続モードにある間に、サービングセルが、見失われ、そして、予め定められた継続時間の範囲内で、再補足されなかった場合、又は（ｉｖ）何らかの他の基準が満たされた場合に、ＯＯＳ条件を検出しても良い。無線デバイスは、複数のＲＡＴをサポートしても良く、また、各々のＲＡＴに関するＯＯＳ条件にあたっても（encounter）良いし、しなくても良い。無線デバイスは、ＯＯＳ条件が検出される各々のＲＡＴについて、ＵＯＯＳサーチを実行しても良い。
【００６３】
無線デバイスは、ＯＯＳ状態にある間に、各々のスリープサイクルのアウェイク期間中、システムサーチを実行しても良い（ブロック６２０）。図２Ａに示すように、アウェイク期間は、第１の固定継続時間を有しても良いし、また、各々のスリープサイクルは、第２の固定継続時間を有しても良い。図２Ｂに示すように、アウェイク期間は、固定継続時間を有しても良いし、また、スリープサイクルは、可変の継続時間を有しても良い。図２Ｃに示すように、各々のスリープサイクルに対するアウェイク期間はまた、スリープサイクルの固定パーセンテージであっても良い。いずれの場合も、各々のアウェイク期間において、システムサーチが前のアウェイク期間において完了なかった場合に、無線デバイスは、前のアウェイク期間に保存された状態情報に基づいて、そのシステムサーチを再開しても良い。無線デバイスは、そのシステムサーチに関する状態情報を、それが現在のアウェイク期間において完了しない場合に、保存しても良い。システムサーチは、第１のサーチモード（例えば、‘真（true）’にセットされたユーズタイマーフラグで）において、アウェイク期間の終点で中断されても良いし、必要ならば、第２のサーチモード（例えば、‘偽（false）’にセットされたユーズタイマーフラグで）において、アウェイク期間の終点を過ぎて完了されても良い。無線デバイスは、サービスを得るのに適しているシステムが捕捉された場合に、ＯＯＳ状態から抜け出す遷移を行っても良い（ブロック６３０）。
【００６４】
図７は、ＯＯＳ状態にある間に、システムサーチを実行するための処理７００のでデザインを示す。処理７００は、図６中のブロック６２０に使用されても良い。無線デバイスは、各々のアウェイク期間において、少なくとも一つのエントリからなる第１のセットについて、アウェイク期間中に開始され完了される第１のサーチを実行しても良い（ブロック７１０）。少なくとも一つのエントリからなる第１のセットは、最近捕捉され、アクイジションデータベースに蓄積された少なくとも一つの周波数チャネル及びシステム、例えば、アクイジションデータベース中の予め定められた数の最も最近捕捉された周波数チャネル及びシステムを含んでも良い。第１のサーチは、（ｉ）例えば、図４Ａ〜４Ｃに示すように、各々のアウェイク期間中に、一回、（ｉｉ）アウェイク期間中に、各々の予め定められた時間間隔において、一回、又は（ｉｉｉ）例えば、図５に示すように、何らかの他の方法で、実行されても良い。
【００６５】
無線デバイスは、各々のアウェイク期間において、少なくとも一つのエントリからなる第２のセットについて、アウェイク期間中に開始され完了される第２のサーチを実行しても良い（ブロック７２０）。第２のサーチが前のアウェイク期間中に完了しなかった場合、第２のサーチは、前のアウェイク期間において保存された状態情報に基づいて、現在のアウェイク期間において再開されても良い。第２のサーチが現在のアウェイク期間において完了しない場合、第２のサーチに関する状態情報は、次のアウェイク期間で使用するために保存されても良い。第１のサーチによって適切なシステムが見つかった場合、第２のサーチはまた、スキップされても良い。少なくとも一つのエントリからなる第２のセットは、システムの優先リスト中の少なくとも一つの周波数チャネル及びシステム、例えば、優先リストからランダムに選択された、予め定められた数の周波数チャネルを、含んでも良い。少なくとも一つのエントリからなる第２のセットは、対象となるすべての周波数チャネル及びシステムがサーチされ得るように、第２のサーチが開始されるごとに、異なる周波数チャネル及びシステムを含んでも良い。また、第２のサーチが開始されるごとに、複数の周波数帯域のうちから、少なくとも一つの周波数帯域が選択されても良く、また、少なくとも一つのエントリからなる第２のセットは、その少なくとも一つの選択された周波数帯域中の周波数チャネルを含んでも良い。
【００６６】
各々のアウェイク期間において、第１のＲＡＴに関するサーチは、もしこのサーチが有効ならば、アウェイク期間の第１のインターバルにおいて実行されても良い。第２のＲＡＴに関するサーチは、もしこのサーチが有効ならば、アウェイク期間の第２のインターバルにおいて実行されても良い。第１及び第２のＲＡＴに関するサーチは、ブロック７１０における第１のサーチ及び／又はブロック７２０における第２のサーチの一環であっても良い。一つのＲＡＴ（例えば、第２のＲＡＴ）に関するサーチは、例えば、図４Ｃに示すように、それが他のＲＡＴ（例えば、第１のＲＡＴ）に関するサーチに先立って完了する場合、無効化されても良い。そして、該他のＲＡＴ（例えば、第１のＲＡＴ）に関するサーチが、そのアウェイク期間の全体において、実行されても良い。第１のＲＡＴは、ＵＭＴＳであっても良く、また、第２のＲＡＴは、ＧＳＭであっても良い。第１のＲＡＴはまた、ＣＤＭＡ２０００ １Ｘであっても良く、また、第２のＲＡＴは、ＨＲＰＤであっても良い。システムサーチはまた、ＲＡＴの何らかの他の組み合わせについて及び／又は３以上のＲＡＴについて実行されても良い。
【００６７】
本明細書に説明されるＵＯＯＳサーチは、不均一（non-uniform）ＯＯＳサーチに、いくつかの利点を提供しても良い。不均一ＯＯＳサーチは、ＯＯＳの第１の部分（例えば、初めの数分又数十分）の間、連続的に又はより頻繁に、及び可能な限りアグレッシブに（例えば、周波数チャネル又はバンドの数の点で）、サーチしても良い。従って、不均一ＯＯＳサーチは、バッテリー電力を節約するために、サーチアクティビティーを（例えば、どのくらいの頻度で完全サーチがなされるかの点で）、緩和しても良い。不均一ＯＯＳサーチは、ＯＯＳ継続時間が長い（例えば、１５−２０分を越える）場合及び所望の周波数チャネルがアクイジションデータベース中にない場合、システム捕捉を著しく遅延させることがある。不均一ＯＯＳサーチはまた、不均一なバッテリー電力消費における結果であっても良く、これが、ＯＯＳ条件の下でのバッテリー寿命を予測することを、難しくすることがある。ＵＯＯＳサーチは、これら二つの問題に対処することができる。ＵＯＯＳサーチは、長いＯＯＳ継続時間（例えば、１５分を越える）の下で、新しい周波数チャネルのより速いシステム捕捉を有しても良いし、また、直接的な方法で、ＯＯＳバッテリー寿命の推定を可能にしても良い。
【００６８】
無線デバイスは、接続モードとアイドルモードとの間の遷移（transition）が、ＵＯＯＳオペレーションに関してグレースフルな（graceful）方法で生じること、例えば、タイマー満了の処理（handling）などが、その遷移による影響を受けないことを保証しても良い。ＵＯＯＳオペレーションに関するスリープタイマー及びアウェイクタイマー（例えば、Ｔｓｌｅｅｐ及びＴａｗａｋｅ）は、接続モードとアイドルモードとの両方について、同一であっても良い。ユーザのアクティビティー（User activity）、ＳＩＭ及び／又は他のトリガーは、無線デバイスを、ＵＯＯＳオペレーションから抜け出すように、及びオペレーションのアイドルモード又は接続モードの中へ入るように、させても良い。
【００６９】
図８は、図１中の無線デバイス１５０のデザインのブロック図を示す。アップリンク（uplink）又は逆方向リンク（reverse link）上で、無線デバイス１５０に送信されるべきデータ及びシグナリングが、出力チップを生成するために、適切なＲＡＴ（例えば、ＵＭＴＳ、ＧＳＭ、１Ｘ、ＨＲＰＤ、など）に従って、符号器８２２により処理され（例えば、フォーマットされ、符号化され、そして、インターリーブされ）され、さらにまた、変調器（Ｍｏｄ）８２４により処理される（例えば、変調され、チャネライズされ、そして、スクランブルされる）。そして、送信器（ＴＭＴＲ）８３２は、その出力チップを調整し(conditions）（例えば、アナログに変換し、フィルタリングし、増幅し、そして、周波数アップコンバートし）、また、アンテナ８３４を通して送信されるアップリンク信号を生成する。
【００７０】
ダウンリンク（downlink）又は順方向リンク（forward link）上で、アンテナ８３４は、基地局（例えば、図１中の、第１のシステム１１０における基地局１１２及び／又は第２のシステム１２０における基地局１２２）により送信されたダウンリンク信号を受信し、そして、受信信号を供給する。受信機（ＲＣＶＲ）８３６は、該受信信号を調整し（例えば、フィルタリングし、増幅し、周波数ダウンコンバートし、そして、デジタル化し）、そして、サンプルを供給する。復調器（Demod）８２６は、該サンプルを処理し（例えば、デスクランブルし、チャネライズし、そして、復調し）、そして、シンボル推定を供給する。さらに、復号器８２８は、該シンボル推定を処理し（例えば、デインターリーブし、そして、復号化し）、そして、復号化されたデータを供給する。符号器８２２、変調器８２４、復調器８２６、及び復号器８２８は、モデムプロセッサ８２０により実施されても良い。これらユニットは、受信されているＲＡＴ（例えば、ＵＭＴＳ、ＧＳＭ、１Ｘ、ＨＲＰＤ、など）に従って、処理を実行する。例えば、復調器８２６は、スクランブリング系列でデスクランブリングを実行し、直交符号でデスプレッディング（despreading）を実行し、そして、ＵＭＴＳ、１Ｘ又はＨＲＰＤに関するデータ復調を実行しても良い。復調器８２６は、ＧＳＭのための整合フィルタリング及びイコライザーションを実行しても良い。
【００７１】
コントローラ／プロセッサ８４０は、無線デバイス１５０でのオペレーションを制御する。メモリ８４２は、無線デバイス１５０のためのデータ及びプログラムコードを記憶する。コントローラ／プロセッサ８４０は、図６中のプロセス６００、図７中のプロセス７００、及び／又はＵＯＯＳサーチに関する他の処理を実行しても良い。ＵＭＴＳ及びＧＳＭに関して、コントローラ／プロセッサ８４０は、ＳＤ、ＮＡＳ、ＲＲＣ、ＲＲ、及び／又は他のモジュールを実行しても良い。コントローラ／プロセッサ８４０はまた、各々のＲＡＴに関するスリープ期間（sleep period）、アウェイク期間及びサーチ期間（search period）のためのタイマーを実行しても良い。コントローラ／プロセッサ８４０及び／又はメモリ８４２は、サーチが完了していない各々のＲＡＴに関するサーチ状態情報、サーチパラメータ、及び／又はサーチに関する他の情報を記憶しても良い。メモリ８４２は、システムの優先リスト又はＰＬＭＮ、アクイジション（Ａｃｑ）データベース、サーチ結果などを記憶しても良い。
【００７２】
本明細書に説明されるサーチ技術は、様々な手段により実施されても良い。例えば、これら技術は、ハードウェア、ファームウェア、ソフトウェア、又はそれらの組み合わせにより実施されても良い。ハードウェア実装に関して、ＵＯＯＳサーチを実施するために使用される処理ユニットは、１又は複数の特定用途向けＩＣ（ＡＳＩＣ）、デジタル信号プロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書に説明される機能を実行するようにデザインされた他の電子ユニット、コンピュータ、又は、それらの組み合わせのうちで実施されても良い。
【００７３】
ファームウェア及び／又はソフトウェアの実装に関して、該サーチ技術は、本明細書に説明される機能を実行するモジュール（例えば、手順（procedures）、関数（functions）、など）で実施されても良い。ファームウェア及び／又はソフトウェアのインストラクションは、メモリ（例えば、図８中のメモリ８４２）に記憶されても良く、また、プロセッサ（例えば、プロセッサ８４０）により実行されても良い。メモリは、プロセッサの内部に又はプロセッサの外部に実装されても良い。ファームウェア及び／又はソフトウェアのインストラクションはまた、例えば、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、電気的消去可能ＰＲＯＭ（ＥＥＰＲＯＭ）、ＦＬＡＳＨメモリ, コンパクトディスク（ＣＤ）、磁気又は光学データ記憶装置などのような、他のプロセッサ読み取り可能な媒体に記憶されても良い。
【００７４】
本明細書に説明される技術を実施する装置は、スタンドアローンのユニットでも良いし、また、デバイスの一部でも良い。デバイスは、（ｉ）スタンドアローンの集積回路（ＩＣ）、（ｉｉ）データ及び／又はインストラクションを記憶するためのメモリＩＣを含むことのある１又は複数のＩＣのセット、（ｉｉｉ）例えばモバイル・ステーション・モデム（ＭＳＭ）のようなＡＳＩＣ、（ｉｖ）他のデバイスに内蔵されるモジュール、（ｖ）携帯電話、無線デバイス、ハンドセット、又は携帯電話端末（mobile unit）、（ｖｉ）などであっても良い。
【００７５】
見出しが、参照用に及びあるセクションを探すことを補助するために、本明細書に含まれている。それら見出しは、本明細書に記載された概念の範囲を限定することが意図されたものではなく、また、これら概念は、本明細書の全体にわたって他のセクションへの適用性を有している。
【００７６】
本開示の先の説明は、当業者が本開示を製造又は使用することを可能にするために提供される。本開示に対する様々な修正が、当業者には容易に理解できよう。また、本明細書で定義される包括的な原理は、本開示の精神又は範囲を逸脱することなく、他の変形に適用されても良い。それゆえ、本開示は、本明細書に説明される例に限定するを意図するものではなく、本明細書に開示された原理及び新規な特徴に調和する最も広い範囲が与えられるべきである。 
以下に、本願出願の当初の特許請求の範囲に記載された各請求項に対応する発明を付記する。 
［１］無線アクセス技術に関する圏外（ＯＯＳ）条件を検出した場合に、ＯＯＳ状態に遷移し、前記ＯＯＳ状態にある間に、各々のスリープサイクルのアウェイク期間中に、システムサーチを実行するように構成され、前記アウェイク期間は第１の固定継続時間を有し、各々のスリープサイクルは第２の固定継続時間を有する、少なくとも一つのプロセッサと、前記少なくとも一つのプロセッサに接続されたメモリとを含むことを特徴とする装置。 
［２］前記少なくとも一つのプロセッサは、各々のアウェイク期間において、前記システムサーチが前のアウェイク期間に完了しなかった場合に、該前のアウェイク期間において保存された状態情報に基づいて、前記システムサーチを再開し、現在のアウェイク期間において、前記システムサーチが完了しない場合に、状態情報を保存するように構成されたことを特徴とする請求項１に記載の装置。 
［３］前記システムサーチは、第１及び第２のサーチを含み、前記少なくとも一つのプロセッサは、各々のアウェイク期間において、前記アウェイク期間において開始され完了される、少なくとも一つのエントリからなる第１のセットについて前記第１のサーチを実行し、前記アウェイク期間において開始又は再開される、少なくとも一つのエントリ第２のセットについて前記第２のサーチを実行するように構成されたことを特徴とする請求項１に記載の装置。 
［４］前記少なくとも一つのプロセッサは、各々のアウェイク期間において、前のアウェイク期間において前記第２のサーチが完了しなかった場合に、該前のアウェイク期間において保存された情報に基づいて、前記第２のサーチを再開し、前記アウェイク期間において完了しない場合に、前記第２のサーチに関する状態情報を保存するように構成されたことを特徴とする請求項３に記載の装置。 
［５］前記少なくとも一つのプロセッサは、各々のアウェイク期間において、前記第１のサーチにより適当なシステムが見つかった場合に、前記第２のサーチをスキップするように構成されたことを特徴とする請求項３に記載の装置。 
［６］前記少なくとも一つのプロセッサは、各々のアウェイク期間において、そのアウェイク期間において前記第１のサーチを１回実行するように構成されたことを特徴とする請求項３に記載の装置。 
［７］前記少なくとも一つのプロセッサは、各々のアウェイク期間において、そのアウェイク期間中に、各々の予め定められた時間間隔において、前記第１のサーチを実行するように構成されたことを特徴とする請求項３に記載の装置。 
［８］前記少なくとも一つのエントリからなる第１のセットは、最近捕捉され、アクイジションデータベースに記憶された少なくとも一つの周波数チャネル及びシステムを含むことを特徴とする請求項３に記載の装置。 
［９］前記メモリは、最近捕捉された周波数チャネル及びシステムのアクイジションデータベースを記憶し、前記少なくとも一つのエントリからなる第１のセットは、前記アクイジションデータベース中の予め定められた数の最も最近捕捉された周波数チャネル及びシステムを含むように構成されたことを特徴とする請求項３に記載の装置。 
［１０］前記少なくとも一つのエントリからなる第２のセットは、システムの優先リスト中の少なくとも一つの周波数チャネル及びシステムを含むことを特徴とする請求項３に記載の装置。 
［１１］前記少なくとも一つのエントリからなる第２のセットは、システムの優先リストからランダムに選択された予め定められた数の周波数チャネルを含むことを特徴とする請求項３に記載の装置。 
［１２］前記少なくとも一つのエントリからなる第２のセットは、前記第２のサーチが開始されるごとに、異なる周波数チャネル及びシステムを含むことを特徴とする請求項３に記載の装置。 
［１３］前記少なくとも一つのプロセッサは、前記第２のサーチが開始されるごとに、複数の周波数帯域のうちから、少なくとも一つの周波数帯域を選択するように構成され、前記少なくとも一つのエントリからなる第２のセットは、前記少なくとも一つの選択された周波数帯域中の周波数チャネルを含むことを特徴とする請求項３に記載の装置。 
［１４］前記少なくとも一つのプロセッサは、各々のアウェイク期間において、第１の無線アクセス技術（ＲＡＴ）に関するサーチを、もし有効ならば、そのアウェイク期間の第１のインターバルにおいて実行し、及び、第２のＲＡＴに関するサーチを、もし有効ならば、そのアウェイク期間の第２のインターバルにおいて実行するように構成されたことを特徴とする請求項１に記載の装置。 
［１５］前記少なくとも一つのプロセッサは、各々のアウェイク期間において、前記第２のＲＡＴに関する前記サーチを、それが前記第１のＲＡＴに関する前記サーチに先立って完了した場合に、無効化し、前記第２のＲＡＴに関する前記サーチが無効である場合に、前記第１のＲＡＴに関する前記サーチを、アウェイク期間の全体において実行するように構成されたことを特徴とする請求項１４に記載の装置。 
［１６］前記第１のＲＡＴは、ユニバーサル移動通信システム（ＵＭＴＳ）であり、前記第２のＲＡＴは、グローバル移動体通信システム（ＧＳＭ）であることを特徴とする請求項１４に記載の装置。 
［１７］前記第１のＲＡＴは、ＣＤＭＡ２０００ １Ｘであり、前記第２のＲＡＴは、高速パケットデータ（ＨＲＰＤ）であることを特徴とする請求項１４に記載の装置。 
［１８］前記少なくとも一つのプロセッサは、第１のサーチモードにおいて、前記アウェイク期間の終点で、システムサーチを中断し、必要である場合に、第２のサーチモードにおいて、システムサーチを、該アウェイク期間の終点を過ぎて完了するように構成されたことを特徴とする請求項１に記載の装置。 
［１９］前記少なくとも一つのプロセッサは、ページングチャネルが、予め定められた個数のページングスロットについて復調に失敗した場合に、ＯＯＳ条件を検出するように構成されたことを特徴とする請求項１に記載の装置。 
［２０］前記少なくとも一つのプロセッサは、電源投入時でのシステムサーチの実行後に、システムが捕捉されなかった場合に、ＯＯＳ条件を検出するように構成されたことを特徴とする請求項１に記載の装置。 
［２１］前記少なくとも一つのプロセッサは、サービングセルが、見失われ、そして、予め定められた継続時間の範囲内で、再補足されなかった場合に、ＯＯＳ条件を検出するように構成されたことを特徴とする請求項１に記載の装置。 
［２２］前記少なくとも一つのプロセッサは、サービスを得るのに適しているシステムが捕捉された場合に、前記ＯＯＳ状態から抜け出す遷移を行うように構成されたことを特徴とする請求項１に記載の装置。 
［２３］無線アクセス技術に関する圏外（ＯＯＳ）条件を検出した場合に、ＯＯＳ状態に遷移し、前記ＯＯＳ状態にある間に、各々のスリープサイクルのアウェイク期間中に、システムサーチを実行するように構成され、前記各々のスリープサイクルの前記アウェイク期間は、前記スリープサイクルの固定パーセンテージである、少なくとも一つのプロセッサと、前記少なくとも一つのプロセッサに接続されたメモリとを含むことを特徴とする装置。 
［２４］無線アクセス技術に関する圏外（ＯＯＳ）条件を検出した場合に、ＯＯＳ状態に遷移することと、前記ＯＯＳ状態にある間に、各々のスリープサイクルのアウェイク期間中に、システムサーチを実行することを含み、前記アウェイク期間は第１の固定継続時間を有し、各々のスリープサイクルは第２の固定継続時間を有することを特徴とする装置。 
［２５］各々のスリープサイクルの前記アウェイク期間中に、前記システムサーチを実行することは、前記システムサーチが前のアウェイク期間に完了しなかった場合に、該前のアウェイク期間において保存された状態情報に基づいて、前記システムサーチを再開することと、現在のアウェイク期間において、前記システムサーチが完了しない場合に、状態情報を保存することを含むことを特徴とする請求項２４に記載の方法。 
［２６］各々のスリープサイクルの前記アウェイク期間中に、前記システムサーチを実行することは、前記アウェイク期間において開始され完了される、少なくとも一つのエントリからなる第１のセットについて前記第１のサーチを実行することと、前記アウェイク期間において開始又は再開される、少なくとも一つのエントリ第２のセットについて第前記２のサーチを実行することを含むことを特徴とする請求項２４に記載の方法。 
［２７］前記少なくとも一つのエントリからなる第１のセットは、アクイジションデータベース中の最近捕捉された周波数チャネル及びシステムを含み、前記少なくとも一つのエントリからなる第２のセットは、システムの優先リスト中の少なくとも一つの周波数チャネル及びシステムを含むことを特徴とする請求項２６に記載の方法。 
［２８］各々のスリープサイクルの前記アウェイク期間中に、前記システムサーチを実行することは、第１の無線アクセス技術（ＲＡＴ）に関するサーチを、もし有効ならば、そのアウェイク期間の第１のインターバルにおいて実行することと、第２のＲＡＴに関するサーチを、もし有効ならば、そのアウェイク期間の第２のインターバルにおいて実行することを含むことを特徴とする請求項２４に記載の方法。 
［２９］各々のスリープサイクルの前記アウェイク期間中に、前記システムサーチを実行することは、前記第２のＲＡＴに関する前記サーチを、それが前記第１のＲＡＴに関する前記サーチに先立って完了した場合に、無効化することと、前記第２のＲＡＴに関する前記サーチが無効である場合に、前記第１のＲＡＴに関する前記サーチを、アウェイク期間の全体において実行することを含むことを特徴とする請求項２８に記載の方法。 
［３０］無線アクセス技術に関する圏外（ＯＯＳ）条件を検出した場合に、ＯＯＳ状態に遷移するための手段と、前記ＯＯＳ状態にある間に、各々のスリープサイクルのアウェイク期間中に、システムサーチを実行するための手段とを備え、前記アウェイク期間は第１の固定継続時間を有し、各々のスリープサイクルは第２の固定継続時間を有することを特徴とする装置。 
［３１］各々のスリープサイクルの前記アウェイク期間中に、前記システムサーチを実行するための手段は、前記システムサーチが前のアウェイク期間に完了しなかった場合に、該前のアウェイク期間において保存された状態情報に基づいて、前記システムサーチを再開するための手段と、現在のアウェイク期間において、前記システムサーチが完了しない場合に、状態情報を保存するための手段をと含むことを特徴とする請求項３０に記載の装置。 
［３２］各々のスリープサイクルの前記アウェイク期間中に、前記システムサーチを実行するための手段は、前記アウェイク期間において開始され完了される、少なくとも一つのエントリからなる第１のセットについて前記第１のサーチを実行するための手段と、前記アウェイク期間において開始又は再開される、少なくとも一つのエントリ第２のセットについて前記第２のサーチを実行するための手段とを含むことを特徴とする請求項３０に記載の装置。 
［３３］各々のスリープサイクルの前記アウェイク期間中に、前記システムサーチを実行するための手段は、第１の無線アクセス技術（ＲＡＴ）に関するサーチを、もし有効ならば、そのアウェイク期間の第１のインターバルにおいて実行するための手段と、第２のＲＡＴに関するサーチを、もし有効ならば、そのアウェイク期間の第２のインターバルにおいて実行するための手段とを含むことを特徴とする請求項３０に記載の装置。 
［３４］無線アクセス技術に関する圏外（ＯＯＳ）条件を検出した場合に、ＯＯＳ状態に遷移するためのインストラクションと、前記ＯＯＳ状態にある間に、各々のスリープサイクルのアウェイク期間中に、システムサーチを実行するためのインストラクションとを格納するためのプロセッサ読み取り可能な媒体であって、前記アウェイク期間は第１の固定継続時間を有し、各々のスリープサイクルは第２の固定継続時間を有することを特徴とするプロセッサ読み取り可能な媒体。 
［３５］各々のアウェイク期間において、前記システムサーチが前のアウェイク期間に完了しなかった場合に、該前のアウェイク期間において保存された状態情報に基づいて、前記システムサーチを再開するためのインストラクションと、現在のアウェイク期間において、前記システムサーチが完了しない場合に、状態情報を保存するためのインストラクションとを更に格納することを特徴とする請求項３４に記載のプロセッサ読み取り可能な媒体。 
［３６］各々のアウェイク期間において、前記アウェイク期間において開始され完了される、少なくとも一つのエントリからなる第１のセットについて前記第１のサーチを実行するためのインストラクションと、前記アウェイク期間において開始又は再開される、少なくとも一つのエントリ第２のセットについて前記第２のサーチを実行するためのインストラクションとを更に格納することを特徴とする請求項３４に記載のプロセッサ読み取り可能な媒体。 
［３７］各々のアウェイク期間において、第１の無線アクセス技術（ＲＡＴ）に関するサーチを、もし有効ならば、そのアウェイク期間の第１のインターバルにおいて実行するためのインストラクションと、第２のＲＡＴに関するサーチを、もし有効ならば、そのアウェイク期間の第２のインターバルにおいて実行するためのインストラクションとを更に格納することを特徴とする請求項３４に記載のプロセッサ読み取り可能な媒体。
【図１】
0005442833.tif 000003
【図２Ａ】
0005442833.tif 000004
【図２Ｂ】
0005442833.tif 000005
【図２Ｃ】
0005442833.tif 000006
【図３】
0005442833.tif 000007
【図４Ａ】
0005442833.tif 000008
【図４Ｂ】
0005442833.tif 000009
【図４Ｃ】
0005442833.tif 000010
【図５】
0005442833.tif 000011
【図６】
0005442833.tif 000012
【図７】
0005442833.tif 000013
【図８】
0005442833.tif 000014